(57)【要約】【課題】再生速度の異なる複数の高速再生モードに対応して、特定シーンを見分け易くすることが可能な情報再生方法を提供すること。【解決手段】情報再生方法は、基準再生速度より速い第１の再生速度による再生指示に対応して、複数のビデオデータのうちの前記第１の再生速度の再生用に指定された第１の指定ビデオデータを再生するとともに、複数のシーン情報のうちの前記第１の再生速度の再生用に指定された第１の指定シーン情報を再生し、前記基準再生速度より速い第２の再生速度による再生指示に対応して、前記複数のビデオデータのうちの前記第２の再生速度の再生用に指定された第２の指定ビデオデータを再生するとともに、前記複数のシーン情報のうちの前記第２の再生速度の再生用に指定された第２の指定シーン情報を再生する。【選択図】      図７
2009301638.tif 000002
【特許請求の範囲】
【請求項１】
再生制御データ及び再生データにより構成されるコンテンツデータを格納した情報記憶媒体であって、
前記コンテンツデータは、複数のシーン情報を含み、
前記再生制御データは、基準再生速度による再生指示に対応して、前記再生データに含まれた複数のビデオデータの所定順序での再生を制御し、
さらに、前記再生制御データは、前記基準再生速度より速い第１の再生速度による再生指示に対応して、前記再生データに含まれた前記複数のビデオデータのうちの前記第１の再生速度の再生用に指定された第１の指定ビデオデータの再生を制御するとともに、前記複数のシーン情報のうちの前記第１の再生速度の再生用に指定された第１の指定シーン情報の再生を制御し、
さらに、前記再生制御データは、前記基準再生速度より速い第２の再生速度による再生指示に対応して、前記再生データに含まれた前記複数のビデオデータのうちの前記第２の再生速度の再生用に指定された第２の指定ビデオデータの再生を制御するとともに、前記複数のシーン情報のうちの前記第２の再生速度の再生用に指定された第２の指定シーン情報の再生を制御する、
ことを特徴とする情報記憶媒体。
【請求項２】
前記再生制御データは、ナビゲーションデータであり、
前記再生データは、プレゼンテーションデータであり、
前記コンテンツデータは、前記ナビゲーションデータ及び前記プレゼンテーションデータを含むユニットデータの複数の集まりにより構成され、
各ナビゲーションデータは、所定シーン情報を含み、
各シーン情報は、前記第１の再生速度のときに再生されるか否かを示す第１のフラグ、及び前記第２の再生速度のときに再生されるか否かを示す第２のフラグを含む、
ことを特徴とする請求項１に記載の情報記憶媒体。
【請求項３】
前記再生制御データは、ナビゲーションデータであり、
前記再生データは、プレゼンテーションデータであり、
前記コンテンツデータは、前記ナビゲーションデータ及び前記プレゼンテーションデータを含むユニットデータの複数の集まりにより構成され、
前記プレゼンテーションデータは、前記複数のシーン情報を含み、
各シーン情報は、前記第１の再生速度のときに再生されるか否かを示す第１のフラグ、及び前記第２の再生速度のときに再生されるか否かを示す第２のフラグを含む、
ことを特徴とする請求項１に記載の情報記憶媒体。
【請求項４】
各シーン情報は、第１の言語に対応した第１のシーン説明情報、及び第２の言語に対応した第２のシーン説明情報を含むことを特徴とする請求項１に記載の情報記憶媒体。
【請求項５】
再生制御データ及び再生データにより構成されるコンテンツデータを取得する取得手段と、
前記コンテンツデータを再生する再生手段と、
を備え、
前記再生手段は、
基準再生速度による再生指示に対応して、前記再生制御データに基づき、前記再生データに含まれた複数のビデオデータを所定順序で再生し、
前記基準再生速度より速い第１の再生速度による再生指示に対応して、前記再生制御データに基づき、前記再生データに含まれた前記複数のビデオデータのうちの前記第１の再生速度の再生用に指定された第１の指定ビデオデータを再生するとともに、前記コンテンツデータに含まれた前記複数のシーン情報のうちの前記第１の再生速度の再生用に指定された第１の指定シーン情報を再生し、
前記基準再生速度より速い第２の再生速度による再生指示に対応して、前記再生制御データに基づき、前記再生データに含まれた前記複数のビデオデータのうちの前記第２の再生速度の再生用に指定された第２の指定ビデオデータを再生するとともに、前記複数のシーン情報のうちの前記第２の再生速度の再生用に指定された第２の指定シーン情報を再生する、
ことを特徴とする情報再生装置。
【請求項６】
前記再生制御データは、ナビゲーションデータであり、
前記再生データは、プレゼンテーションデータであり、
前記コンテンツデータは、前記ナビゲーションデータ及び前記プレゼンテーションデータを含むユニットデータの複数の集まりにより構成され、
各ナビゲーションデータは、所定シーン情報を含み、
各シーン情報は、前記第１の再生速度のときに再生されるか否かを示す第１のフラグ、及び前記第２の再生速度のときに再生されるか否かを示す第２のフラグを含み、
前記再生手段は、前記第１及び第２のフラグに基づき前記複数のシーン情報の中から再生速度に応じたシーン情報を選択し再生する、
ことを特徴とする請求項５に記載の情報再生装置。
【請求項７】
前記再生制御データは、ナビゲーションデータであり、
前記再生データは、プレゼンテーションデータであり、
前記コンテンツデータは、前記ナビゲーションデータ及び前記プレゼンテーションデータを含むユニットデータの複数の集まりにより構成され、
前記プレゼンテーションデータは、前記複数のシーン情報を含み、
各シーン情報は、前記第１の再生速度のときに再生されるか否かを示す第１のフラグ、及び前記第２の再生速度のときに再生されるか否かを示す第２のフラグを含み、
前記再生手段は、前記第１及び第２のフラグに基づき前記複数のシーン情報の中から再生速度に応じたシーン情報を選択し再生する、
ことを特徴とする請求項５に記載の情報記憶媒体。
【請求項８】
各シーン情報は、第１の言語に対応した第１のシーン説明情報、及び第２の言語に対応した第２のシーン説明情報を含み、
前記再生手段は、
前記第１の言語の設定に対応して前記基準再生速度で前記複数のビデオデータを所定順序で再生した後、前記基準再生速度を前記第１の再生速度へ切り替えた場合、前記第１の指定シーン情報に含まれた前記第１のシーン説明情報を再生し、
前記第２の言語の設定に対応して前記基準再生速度で前記複数のビデオデータを所定順序で再生した後、前記基準再生速度を前記第１の再生速度へ切り替えた場合、前記第１の指定シーン情報に含まれた前記第２のシーン説明情報を再生し、
前記第１の言語の設定に対応して前記基準再生速度で前記複数のビデオデータを所定順序で再生した後、前記基準再生速度を前記第２の再生速度へ切り替えた場合、前記第２の指定シーン情報に含まれた前記第１のシーン説明情報を再生し、
前記第２の言語の設定に対応して前記基準再生速度で前記複数のビデオデータを所定順序で再生した後、前記基準再生速度を前記第２の再生速度へ切り替えた場合、前記第２の指定シーン情報に含まれた前記第２のシーン説明情報を再生する、
ことを特徴とする請求項５に記載の情報再生装置。
【請求項９】
再生制御データ及び再生データにより構成されるコンテンツデータを取得し、
基準再生速度による再生指示に対応して、前記再生制御データに基づき、前記再生データに含まれた複数のビデオデータを所定順序で再生し、前記基準再生速度より速い第１の再生速度による再生指示に対応して、前記再生制御データに基づき、前記再生データに含まれた前記複数のビデオデータのうちの前記第１の再生速度の再生用に指定された第１の指定ビデオデータを再生するとともに、前記コンテンツデータに含まれた前記複数のシーン情報のうちの前記第１の再生速度の再生用に指定された第１の指定シーン情報を再生し、前記基準再生速度より速い第２の再生速度による再生指示に対応して、前記再生制御データに基づき、前記再生データに含まれた前記複数のビデオデータのうちの前記第２の再生速度の再生用に指定された第２の指定ビデオデータを再生するとともに、前記複数のシーン情報のうちの前記第２の再生速度の再生用に指定された第２の指定シーン情報を再生する、
ことを特徴とする情報再生方法。
【発明の詳細な説明】
【技術分野】
【０００１】
本発明は、早送り再生に対応して主映像データを構成する複数の画像データのうちの予め指定された画像データを順次再生出力する情報再生装置及び情報再生方法に関する。また、本発明は、早送り再生に対応して主映像データを構成する複数の画像データのうちの予め指定された画像データを順次再生出力可能なように構成されたコンテンツを格納した情報記憶媒体に関する。
【背景技術】
【０００２】
映像信号等の大量な情報を記録できる記録媒体としてＤＶＤ（Digital Versatile Disc）が普及しており、これにより、家庭において、２時間程度の映画をＤＶＤに記録したり、このようなＤＶＤを再生したりすることができるようになった。さらに、近年では、より高画質な映像信号を記録できるＨＤ ＤＶＤ(High Definition DVD)も登場しており（特許文献１参照）、又はＢＤ（ブルーレイディスク）（登録商標）も登場しており、家庭で楽しめる映像クオリティが向上している。
【０００３】
これらＤＶＤ、ＨＤ ＤＶＤ、又はＢＤに記録されたコンテンツを再生するプレイヤーは、通常再生の他に、早送り又は早巻き戻し等のトリックプレイを実行することができる。例えばＤＶＤを再生するプレイヤーは、このようなトリックプレイに対応して、ＤＶＤコンテンツのナビゲーションパック内に記録されたデータサーチ情報を使い、時間軸上で間引きした画像のみをデコードして表示する。また、プレイヤーは、このようなトリックプレイ中は、音声や字幕は出力を停止することが多い。これは、高速再生中に全ての映像・音声・字幕・アプリケーション情報をデコード・出力する処理能力がプレイヤーにとって高負荷なためである。
【０００４】
これに対して、ビデオデータを間引いて再生するダイジェスト再生モードにおいて、再生されない動画像に同期する文字を含む文字画像を生成する技術が提案されている（特許文献２参照）。
【特許文献１】特開２００６−２６０６１１
【特許文献２】特開２００７−２４３８４３
【発明の開示】
【発明が解決しようとする課題】
【０００５】
上記した特許文献２に開示された技術は、１種類のトリックプレイ、つまり１つのダイジェスト再生モードに対応した文字画像生成技術に過ぎない。ところが、高速再生には、倍速再生、２倍速再生、３倍速再生など多種のトリックプレイが存在し、これら多種のトリックプレイに対応することができない。
【０００６】
そのため、ユーザは任意に間引きされて表示される画面のみを頼りに通常再生を開始したい箇所(特定シーン)を判定してトリックプレイを終了しなければならない。時間軸上で間引きされた画像からはシーンの判断が難いし、シーンは登場人物の台詞、音楽、効果音で特定される場合もある。この場合、ユーザが頭出ししたい特定シーンを見過ごしてしまう可能性がある。
【０００７】
また、プレイヤーが仮に高速再生中に全ての映像・音声・字幕アプリケーション情報をデコード・再生出来たとしても、高速再生されるそれらの情報からは、ユーザは特定シーンを判定し難い。
【０００８】
本発明の目的は、再生速度の異なる複数の高速再生モードに対応して、特定シーンを見分け易くすることが可能な情報再生装置及び情報再生方法を提供することにある。
【０００９】
また、本発明の目的は、再生速度の異なる複数の高速再生モードに対応して、特定シーンを見分け易くすることが可能なコンテンツを格納した情報記憶媒体を提供することにある。
【課題を解決するための手段】
【００１０】
この発明の一実施形態に係る情報記憶媒体は、再生制御データ（ナビゲーションデータ）及び再生データ（プレゼンテーションデータ）により構成されるコンテンツデータを格納した情報記憶媒体であって、前記コンテンツデータは、複数のシーン情報（ＳＣ＿Ｉ＃１、＃２…）を含み（つまり、ナビゲーションデータがシーン情報を含んでもよいし（図６参照）、プレゼンテーションデータがシーン情報を含んでいてもよい（図８参照））、前記再生制御データは、基準再生速度（通常再生）による再生指示に対応して、前記再生データに含まれた複数のビデオデータの所定順序での再生を制御し、さらに、前記再生制御データは、前記基準再生速度より速い第１の再生速度（高速再生）による再生指示に対応して、前記再生データに含まれた前記複数のビデオデータのうちの前記第１の再生速度の再生用に指定された第１の指定ビデオデータ（例えば、第一、第二、第三参照エンドアドレスにより指定されたデータ）の再生を制御するとともに、前記複数のシーン情報のうちの前記第１の再生速度の再生用に指定された第１の指定シーン情報（例えばシーン第一速度ｆｌａｇ（ＳＣ＿１ＳＴＲＥＦ＿ＦＬＡＧ）により指定されたシーン情報）の再生を制御し、さらに、前記再生制御データは、前記基準再生速度より速い第２の再生速度（高速再生）による再生指示に対応して、前記再生データに含まれた前記複数のビデオデータのうちの前記第２の再生速度の再生用に指定された第２の指定ビデオデータ（例えば、第一、第二参照エンドアドレスにより指定されたビデオデータ）の再生を制御するとともに、前記複数のシーン情報のうちの前記第２の再生速度の再生用に指定された第２の指定シーン情報（例えばシーン第二速度ｆｌａｇ（ＳＣ＿２ＮＤＲＥＦ＿ＦＬＡＧ）により指定されたシーン情報）の再生を制御する。
【００１１】
この発明の一実施形態に係る情報再生装置は、再生制御データ（ナビゲーションデータ）及び再生データ（プレゼンテーションデータ）により構成されるコンテンツデータを取得する取得手段と、前記コンテンツデータを再生する再生手段とを備え、前記再生手段は、基準再生速度（通常再生）による再生指示に対応して、前記再生制御データに基づき、前記再生データに含まれた複数のビデオデータを所定順序で再生し、前記基準再生速度より速い第１の再生速度（高速再生）による再生指示に対応して、前記再生制御データに基づき、前記再生データに含まれた前記複数のビデオデータのうちの前記第１の再生速度の再生用に指定された第１の指定ビデオデータ（例えば、第一、第二、第三参照エンドアドレスにより指定されたデータ）を再生するとともに、前記コンテンツデータに含まれた前記複数のシーン情報のうちの前記第１の再生速度の再生用に指定された第１の指定シーン情報（例えばシーン第一速度ｆｌａｇ（ＳＣ＿１ＳＴＲＥＦ＿ＦＬＡＧ）により指定されたシーン情報）を再生し、前記基準再生速度より速い第２の再生速度（高速再生）による再生指示に対応して、前記再生制御データに基づき、前記再生データに含まれた前記複数のビデオデータのうちの前記第２の再生速度の再生用に指定された第２の指定ビデオデータ（例えば、第一、第二参照エンドアドレスにより指定されたビデオデータ）を再生するとともに、前記複数のシーン情報のうちの前記第２の再生速度の再生用に指定された第２の指定シーン情報（例えばシーン第二速度ｆｌａｇ（ＳＣ＿２ＮＤＲＥＦ＿ＦＬＡＧ）により指定されたシーン情報）を再生する。
【００１２】
この発明の一実施形態に係る情報再生方法は、再生制御データ（ナビゲーションデータ）及び再生データ（プレゼンテーションデータ）により構成されるコンテンツデータを取得し、基準再生速度（通常再生）による再生指示に対応して、前記再生制御データに基づき、前記再生データに含まれた複数のビデオデータを所定順序で再生し、前記基準再生速度より速い第１の再生速度（高速再生）による再生指示に対応して、前記再生制御データに基づき、前記再生データに含まれた前記複数のビデオデータのうちの前記第１の再生速度の再生用に指定された第１の指定ビデオデータ（例えば、第一、第二、第三参照エンドアドレスにより指定されたデータ）を再生するとともに、前記コンテンツデータに含まれた前記複数のシーン情報のうちの前記第１の再生速度の再生用に指定された第１の指定シーン情報（例えばシーン第一速度ｆｌａｇ（ＳＣ＿１ＳＴＲＥＦ＿ＦＬＡＧ）により指定されたシーン情報）を再生し、前記基準再生速度より速い第２の再生速度（高速再生）による再生指示に対応して、前記再生制御データに基づき、前記再生データに含まれた前記複数のビデオデータのうちの前記第２の再生速度の再生用に指定された第２の指定ビデオデータ（例えば、第一、第二参照エンドアドレスにより指定されたビデオデータ）を再生するとともに、前記複数のシーン情報のうちの前記第２の再生速度の再生用に指定された第２の指定シーン情報（例えばシーン第二速度ｆｌａｇ（ＳＣ＿２ＮＤＲＥＦ＿ＦＬＡＧ）により指定されたシーン情報）を再生する。
【発明の効果】
【００１３】
本発明によれば、再生速度の異なる複数の高速再生モードに対応して、特定シーンを見分け易くすることが可能な情報再生装置及び情報再生方法を提供できる。
【００１４】
また、本発明によれば、再生速度の異なる複数の高速再生モードに対応して、特定シーンを見分け易くすることが可能なコンテンツを格納した情報記憶媒体を提供できる。
【発明を実施するための最良の形態】
【００１５】
以下、図面を参照し、本発明の実施形態について説明する。
【００１６】
最初に、ＤＶＤコンテンツの再生を前提として、本発明の概要について説明する。
【００１７】
コンテンツ作成者は、予め、ＤＶＤコンテンツに含まれたＶＯＢ内のナビゲーションパック内の未使用領域に、所定のＶＯＢＵのシーンを説明する文字列（シーン説明テキスト）を記録する。シーン説明テキストは、複数の言語に対応できるように、複数の言語により記述される。シーン説明テキストとは、所定のＶＯＢＵのシーンを説明する情報であり、例えば、「クラッシュ直前」、「カーチェイス」、「初登校の学校門前で」のような情報である。或いは、シーン説明テキストとは、字幕の一部、音声の一部、シーンやチャプターの切り替わりの前後を表す情報であり、例えば「第２章の２０秒前」、「もうすぐ、［出会い］の場面」のような情報である。
【００１８】
プレイヤーは、トリックプレイ実行時（例えば図１の早送り（シーン情報あり））、現在再生されている音声もしくは字幕の言語設定に従い、上記したシーン説明テキストを選択する。つまり、プレイヤーは、トリックプレイ実行時（例えば図１の早送り（シーン情報あり））、現在再生されている音声もしくは字幕の言語設定と同じ言語設定のシーン説明テキストを選択する。そして、プレイヤーは、選択したシーン説明テキストに対応した画像をビデオ画像にレンダリングして表示する。また、上記したシーン説明テキストを、ＶＯＢ内の独自ストリームＩＤを持ったパック内に記録ようにしてもよい。
【００１９】
なお、プレイヤーが、上記したシーン説明テキストが記録されていないＤＶＤコンテンツ再生し、トリックプレイを実行した場合（例えば早送り（シーン情報なし））には、当然、シーン説明テキストは表示されない。このため、ユーザは、トリックプレイ実行中に、目的のシーンを簡単に探すことができない。
【００２０】
以下、上記したシーン説明テキストの表示処理についてより詳細に説明する。
【００２１】
図２は、本発明の一実施形態に係るＤＶＤプレイヤーの概略構成を示す図である。図２に示すようにＤＶＤプレイヤーは、ディスク（Disc）１に記録されたＤＶＤコンテンツを再生する。ＤＶＤコンテンツは、ＤＶＤコンテンツの再生制御情報であるナビゲーションデータと、ＤＶＤコンテンツの映像・音声・字幕等の集合であるプレゼンテーションデータを含む。
【００２２】
ＤＶＤプレイヤーは、データアクセスマネジャー２、データキャッシュ３、プレゼンテーションエンジン４、ナビゲーションマネジャー５、シーン情報取得部６、シーン画像・音声生成部７、ＡＶレンダラー８を備えている。また、ＤＶＤプレイヤーは、リモートコントローラ（リモコン）９等からのユーザ操作情報を受け取る。さらに、ＤＶＤプレイヤーは、ＴＶモニタ又はスピーカー等の出力機器１０に対して、映像・音声を出力する。
【００２３】
データアクセスマネジャー２は、ディスク１へのアクセスを制御し、ディスク１に記録されたＤＶＤコンテンツを取得する。データキャッシュ３は、再生中のデータを一時記録する。ナビゲーションマネジャー５は、ユーザ操作情報を受け取るユーザインターフェースエンジンを備える。さらに、ナビゲーションマネジャー５は、ナビゲーションデータを読み込んで展開したり、各部からのコマンドに基づき動作を制御したりする。また、プレゼンテーションエンジン４は、映像と音声と字幕データのデマルチプレクスとデコードを行い、ＡＶレンダラー８に映像と音声と字幕の情報を出力する。ＡＶレンダラー８は、オーディオの混合に関して司る部分と、ビデオの混合に関して司る部分とから成る。
【００２４】
シーン情報取得部６は、ナビゲーションマネジャー５で展開されたナビゲーションデータ、及びプレゼンテーションエンジン４で展開されたプレゼンテーションデータの中からシーン情報を取得する。シーン画像・音声生成部７は、シーン情報取得部６で取得されたシーン情報に基づき、シーン画像又はシーン音声を生成してＡＶレンダラー８へ出力する。
【００２５】
ＤＶＤコンテンツは、前述したようにナビゲーションデータとプレゼンテーションデータで構成されている。図３は、主にプレゼンテーションデータを含むオブジェクトセット（ＶＯＢＳ）の概略構成を示す図である。ＶＯＢＳは、一つ以上のビデオオブジェクト（ＶＯＢ）からなり、ＶＯＢは一つ以上のセル（ＣＥＬＬ）からなる。
【００２６】
また、セルは一つ以上のビデオオブジェクトユニット（ＶＯＢＵ）からなる。ビデオオブジェクトユニットは、ナビゲーションパック（ＮＶ＿ＰＣＫ）から始まり、次のＮＶ＿ＰＣＫまたはＶＯＢの終端で終わり、その間は、ビデオパック（Ｖ＿ＰＣＫ）、オーディオパック（Ａ＿ＰＣＫ）、サブピクチャパック（ＳＰ＿ＰＣＫ）で構成される。
【００２７】
Ｖ＿ＰＣＫは映像のプレゼンテーションデータを含み、Ａ＿ＰＣＫは音声のプレゼンテーションデータを含み、ＳＰ＿ＰＣＫは字幕のプレゼンテーションデータを含む。ＮＶ＿ＰＣＫは、Ｖ＿ＰＣＫ、Ａ＿ＰＣＫ、ＳＰ＿ＰＣＫの再生を制御したり、記録構造の情報をもつナビゲーションデータを含む。ＮＶ＿ＰＣＫは、再生制御情報（ＤＳＩデータ）用のパケット（ＰＣＩ＿ＰＫＴ）と、データの記録構造情報を持つデータサーチ情報用のパケット（ＤＳＩ＿ＰＫＴ）とを含む。
【００２８】
図４に示すように、ＤＳＩデータは、ＤＳＩ一般情報（ＤＳＩ＿ＧＩ）、シームレス再生情報（ＳＭＬ＿ＰＢＩ）、シームレスアングル情報（ＳＭＬ＿ＡＧＬＩ）、ＶＯＢユニットサーチ情報（ＶＯＢＵ＿ＳＲＩ）、シンク情報（ＳＹＮＣＩ）を含む。
【００２９】
さらに、図４に示すように、ＤＳＩ＿ＧＩは、ナビパックＳＣＲ（ＮＶ＿ＰＣＫ＿ＳＣＲ）、ナビパックロジカルブロックナンバー（ＮＶ＿ＰＣＫ＿ＬＢＮ）、ＶＯＢＵエンドアドレス（ＶＯＢＵ＿ＥＡ）、第一参照エンドアドレス（ＶＯＢＵ＿１ＳＴＲＥＦ＿ＥＡ）、第二参照エンドアドレス（ＶＯＢＵ＿２ＮＤＲＥＦ＿ＥＡ）、第三エンドアドレス（ＶＯＢＵ＿３ＲＤＲＥＦ＿ＥＡ）、ＶＯＢ  ＩＤ番号（ＶＯＢＵ＿ＶＯＢ＿ＩＤＮ）、ＶＯＢＵアダプデーションＩＤ（ＶＯＢＵ＿ＡＤＰ＿ＩＤ）、ＶＯＢＵ  Ｃｅｌｌ  ＩＤ番号（ＶＯＢＵ＿Ｃ＿ＩＤＮ）、セル時間情報（Ｃ＿ＥＬＴＭ）から成る。
【００３０】
ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡは、早送り・巻き戻し(トリックプレイ)などの、一倍速以上の再生(高速再生)を行うときに、デコードして表示する参照ピクチャの終了位置を記述するデータである。
【００３１】
図５は、ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡを説明するための図である。図５に示すように、ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡは、任意のピクチャの終了を含むパックのエンドアドレスを指す。このピクチャとは、高速再生時に表示されるピクチャであり、ＤＶＤプレイヤーは、このエンドアドレスを取得し、このエンドアドレスまでのパックを読み込んでデコードして表示する。これにより、ＤＶＤプレイヤーは、ＶＯＢＵ内のすべてのパックをデコードする必要がないため、再生負荷を抑えることができる。
【００３２】
ＤＶＤプレイヤー（プレゼンテーションエンジン４及びナビゲーションマネジャー５）は、基準再生速度（１倍速再生）による再生指示に対応して、ナビゲーションデータに基づき、プレゼンテーションデータに含まれたＶ＿ＰＣＫ、Ａ＿ＰＣＫ、ＳＰ＿ＰＣＫを所定順序で再生する。
【００３３】
また、ＤＶＤプレイヤーは、比較的低速な高速再生を実行するとき(第一速度)は、第一、第二、第三参照エンドアドレスにより指定される第一、第二、第三ピクチャまでデコードして表示する。
【００３４】
また、ＤＶＤプレイヤーは、第一速度より早い高速再生を実行するとき(第二速度)は、第一、第二参照エンドアドレスにより指定される第一、第二ピクチャまでデコードして表示する。
【００３５】
さらに、ＤＶＤプレイヤーは、第二速度よりさらに早い高速再生を実行するとき(第三速度)は、第一参照エンドアドレスにより指定される第一参照ピクチャをデコードして表示する。
【００３６】
以上により、高速再生の速度によって、デコードするピクチャの数を段階的に設定することができ、第一、第二、第三速度の何れでも、デコードされるピクチャを良好な状態で見ることができる。
【００３７】
図６を参照して、次にシーン情報の記録方法について説明する。まず、ＤＳＩデータに、シーン情報テーブル（ＳＣ＿ＩＴ）を記録する。シーン情報テーブルには、シーン第一速度ｆｌａｇ（ＳＣ＿１ＳＴＲＥＦ＿ＦＬＡＧ）、シーン第二速度ｆｌａｇ（ＳＣ＿２ＮＤＲＥＦ＿ＦＬＡＧ）、シーン第三速度ｆｌａｇ（ＳＣ＿３ＲＤＲＥＦ＿ＦＬＡＧ）と、シーン情報  言語コード（ＳＣ＿ＬＣＤ）とシーン説明情報（ＳＣ＿ＴＸＴ）を持つ、シーン情報（ＳＣ＿Ｉ）を３２ストリームを含む。
【００３８】
ＳＣ＿１ＳＴＲＥＦ＿ＦＬＡＧ、ＳＣ＿２ＮＤＲＥＦ＿ＦＬＡＧ、ＳＣ＿３ＲＤＲＥＦ＿ＦＬＡＧは、それぞれ第一速度、第二速度、又は第三速度で高速再生される場合に、参照されるべきシーン情報かどうかを判断するためのフラグである。シーン情報取得部６は、これらフラグを参照し、第一速度、第二速度、又は第三速度で高速再生される場合に、参照すべきシーン情報を取得する。例えば、ＳＣ＿１ＳＴＲＥＦ＿ＦＬＡＧ＝１、ＳＣ＿２ＮＤＲＥＦ＿ＦＬＡＧ＝１、ＳＣ＿３ＲＤＲＥＦ＿ＦＬＡＧ＝０の場合、本シーン情報は、第一・第二速度の高速再生時には参照されるべきシーン情報であるが、第三速度では参照されるべきシーン情報ではないと判断できる。シーン情報取得部６により取得されたシーン情報は、シーン画像・音声生成部７によりデコードされ、ＡＶレンダラー８に入力され、他の画像とレンダリングされる。
【００３９】
また、シーン情報は複数ストリームにより記録された情報であり、ＤＶＤプレイヤーで現在設定されている言語（例えば日本語）に合うシーン情報言語情報（同じく日本語）を持つシーン説明テキストを選択し表示する。具体例を以下に挙げる。
【００４０】
例えば、ＤＶＤプレイヤー（プレゼンテーションエンジン４及びナビゲーションマネジャー５）が、第１の言語（例えば日本語）の設定に対応して基準再生速度（１倍速再生）でプレゼンテーションデータに含まれたＶ＿ＰＣＫ、Ａ＿ＰＣＫ、ＳＰ＿ＰＣＫを所定順序で再生した後、基準再生速度をこの基準再生速度より速い第１の再生速度へ切り替えた場合、第１の再生速度の再生用に指定された第１の指定シーン情報に含まれた、第１の言語に対応した第１のシーン説明情報を再生する。
【００４１】
また、ＤＶＤプレイヤー（プレゼンテーションエンジン４及びナビゲーションマネジャー５）が、第２の言語（例えば英語）の設定に対応して基準再生速度でプレゼンテーションデータに含まれたＶ＿ＰＣＫ、Ａ＿ＰＣＫ、ＳＰ＿ＰＣＫを所定順序で再生した後、基準再生速度を第１の再生速度へ切り替えた場合、第１の指定シーン情報に含まれた、第２の言語に対応した第２のシーン説明情報を再生する。
【００４２】
また、ＤＶＤプレイヤー（プレゼンテーションエンジン４及びナビゲーションマネジャー５）が、第１の言語の設定に対応して基準再生速度でプレゼンテーションデータに含まれたＶ＿ＰＣＫ、Ａ＿ＰＣＫ、ＳＰ＿ＰＣＫを所定順序で再生した後、基準再生速度を第１の再生速度よりさらに速い第２の再生速度へ切り替えた場合、第２の再生速度の再生用に指定された第２の指定シーン情報に含まれた、第１の言語に対応した第１のシーン説明情報を再生する。
【００４３】
また、ＤＶＤプレイヤー（プレゼンテーションエンジン４及びナビゲーションマネジャー５）が、第２の言語の設定に対応して基準再生速度でプレゼンテーションデータに含まれたＶ＿ＰＣＫ、Ａ＿ＰＣＫ、ＳＰ＿ＰＣＫを所定順序で再生した後、基準再生速度を第２の再生速度へ切り替えた場合、第２の再生速度の再生用に指定された第２の指定シーン情報に含まれた、第２の言語に対応した第２のシーン説明情報を再生する。
【００４４】
以上により、ユーザは、設定済みの言語に応じたシーン説明テキストを視聴することができる。
【００４５】
図７は、高速再生時におけるシーン説明テキストの表示処理の一例を示す図である。図７に示すように、ＤＶＤプレイヤーが高速再生中と判断した場合（ＳＴ１）、現在再生中のＮＶ＿ＰＣＫにシーン情報が含まれていれば（ＳＴ２、ＹＥＳ）、トリックプレイ速度の分岐処理（ＳＴ３、ＳＴ４、ＳＴ５）に移る。
【００４６】
トリックプレイ速度が第一段階の場合は（ＳＴ３、ＹＥＳ）、ＳＣ＿１ＳＴＲＥＦ＿ＦＬＡＧの判定（ＳＴ６）に進み、トリックプレイ速度が第一段階でなければ（ＳＴ３、ＮＯ）、他の速度の判定へ進む（ＳＴ４、ＳＴ５）。
【００４７】
ＳＣ＿１ＳＴＲＥＦ＿ＦＬＡＧ＝１の場合（ＳＴ６、ＹＥＳ）、シーン情報取得部６は、本シーン情報は表示されるべきと判断し、ＳＣ＿Ｉ取得処理（ＳＴ９）に進み、シーン情報取得部６は、現在ＤＶＤプレイヤーに設定されている言語コードと等しいＳＣ＿ＬＣＤを持つＳＣ＿Ｉストリームを取得する（ＳＴ９）。次に、シーン画像・音声生成部７は、選択されたＳＣ＿ＩのＳＣ＿ＴＸＴを文字情報にデコードし、ＡＶレンダラー８が、デコードされた文字情報をビデオ映像上にレンダリングする（ＳＴ１０）。
【００４８】
トリックプレイ速度が第二段階、第三段階のときも、シーン情報取得部６が、それぞれＳＣ＿２ＮＤＲＥＦ＿ＦＲＡＧ、ＳＣ＿３ＲＤＲＦ＿ＦＬＡＧから判定し（ＳＴ７、ＳＴ８）、シーン情報取得部６、シーン画像・音声生成部７、ＡＶレンダラー８が上記と同様の処理を行う（ＳＴ９、ＳＴ１０）。
【００４９】
以上により、再生速度の異なる高速再生中でもシーンを特定できるシーン情報をビデオ映像と合わせて表示することができる。
【００５０】
また、別のシーン情報の記録方法としては、前記のシーン説明テキストを、ＶＯＢ内の独自ストリームＩＤを持ったパック内に記録する。もしくは、この場合テキストだけでなくＪＰＥＧ／ＢＭＰ／ＰＮＧの画像フォーマット形式、サブピクチャユニット形式、WAV等の音声フォーマット形式で記録する。
【００５１】
この情報を記録したパックをシーン情報パック（ＳＣ＿ＰＣＫ）とすると、図８に示すように、第一参照エンドアドレス（ＶＯＢＵ＿１ＳＴＲＥＦ＿ＥＡ）、第二参照エンドアドレス（ＶＯＢＵ＿２ＮＤＲＥＦ＿ＥＡ）、第三参照エンドアドレス（ＶＯＢＵ＿３ＲＤＲＥＦ＿ＥＡ）で示されるアドレスよりも前に記録することで、すべてのデータのデコードをすることなくシーン情報パックを取得することができる。
【００５２】
また、ＤＶＤプレイヤーは、ＤＶＤコンテンツの再生中もしくは再生開始前に、ビデオ映像内のオブジェクト、音声内容、字幕の文言、プレイリスト上のタイトル・チャプター・アプリケーションの開始時刻と説明記述（ｄｅｓｃｒｉｐｔｉｏｎ属性等）から、各時刻のシーンを説明するような情報を自動認識し、文字(シーン説明テキスト)や音声(シーン説明音声)としてシーン説明情報を自動生成し、タイムスタンプと共にメモリに記録するようにしてもよい。
【００５３】
次にこのＤＶＤコンテンツを再生するときには、メモリに記録した情報に基づきトリックプレイ中の時刻に合わせ該当するタイムスタンプを持つシーン説明テキストを表示したり、シーン説明音声を出力することができる。
【００５４】
以上により、ＤＶＤプレイヤーは、早送り、巻き戻し等のトリックプレイ中でも低負荷で現在再生中のシーンを説明する情報を表示・音声出力することができる。ユーザは、早送り、巻き戻し等のトリックプレイ中に出力される現在再生中のシーンを説明する情報を元に、比較的簡単に現在再生中のシーンを判断することができ、目当てとするシーンでトリックプレイを中断することができる。なお、現在再生中のシーンを説明する情報は、文字情報であってもよいし、音声情報であってもよい。
【００５５】
また、上記したように、ＤＶＤのデータ構造の未使用領域にシーン情報が記録されるため、このようなシーン情報が記録されたＤＶＤであっても、既存のＤＶＤプレイヤーで再生することができる。
【００５６】
また、ＤＶＤプレイヤーが、前記のシーン説明情報を自動生成することもできるため、予めシーン情報が記録されていない既存のＤＶＤコンテンツであっても、早送り、巻き戻し等のトリックプレイ中に現在再生中のシーンを説明する情報を出力することができる。
【００５７】
なお、本実施形態では、ＤＶＤコンテンツがディスク１に格納され、ＤＶＤプレイヤーがディスク１からＤＶＤコンテンツを取得するケースについて説明したが、本発明はこれだけに限定されるものではない。例えば、ネットワークサーバにＤＶＤコンテンツを格納し、ＤＶＤプレイヤーがネットワークサーバからＤＶＤコンテンツをダウンロードするようにしてもよい。また、コンテンツの種類もＤＶＤコンテンツ（ＤＶＤフォーマット）に限定されるものではなく、様々なフォーマットのコンテンツであってもよい。
【００５８】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５９】
【図１】通常の早送り（シーン情報なし）とシーン説明テキストを利用した早送り（シーン情報あり）を説明するための図である。
【図２】本発明の一実施形態に係るＤＶＤプレイヤーの概略構成を示す図である。
【図３】主にプレゼンテーションデータを含むオブジェクトセット（ＶＯＢＳ）の概略構成を示す図である。
【図４】ＤＳＩデータのデータ構造の一例を示す図である。
【図５】ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡを説明するための図である。
【図６】シーン情報の記録方法を説明するための図である。
【図７】高速再生時におけるシーン説明テキストの表示処理の一例を示す図である。
【図８】シーン情報パックの記録方法を説明するための図である。
【符号の説明】
【００６０】
２…データアクセスマネジャー、３…データキャッシュ、４…プレゼンテーションエンジン、５…ナビゲーションマネジャー、６…シーン情報取得部、７…シーン画像・音声生成部、８…ＡＶレンダラー
【図１】
2009301638.tif 000003
【図２】
2009301638.tif 000004
【図３】
2009301638.tif 000005
【図４】
2009301638.tif 000006
【図５】
2009301638.tif 000007
【図６】
2009301638.tif 000008
【図７】
2009301638.tif 000009
【図８】
2009301638.tif 000010